(57)【要約】      （修正有）【課題】アンプ側で電気的に行うイコライザー機能を、簡易な構成であるが、物理的な構造体であるスピーカー装置のエンクロージャー側で行い、音響特性を高めたマルチバックロードホーン型スピーカー装置を提供する。【解決手段】マルチバックロードホーン型スピーカー装置１は、スピーカーユニット１１と、エンクロージャー１３と、マルチバックロードホーン１５とで構成される。マルチバックロードホーン１５は、少なくとも３本のバックロードホーンで構成される。バックロードホーンは、複数本の音道管１５１ａ〜１５１ｃを直列や並列に接続して構成される。空気室Ｓ１３とバックロードホーンとの連通部には、絞り部を備える。絞り部の面積を変えることによって、音圧レベルを調整できる。かかる構成とすることにより、少なくとも３本のバックロードホーンについて、最低共振周波数と音圧レベルとを、それぞれ個別に調整できる。【選択図】図１
2019092128.tif 000002
【特許請求の範囲】
【請求項１】
スピーカーユニットの背面側に空気室と、一端が前記空気室と連通し他端がスピーカー装置の外面に開口したバックロードホーンと、を備えるバックロードホーン型スピーカー装置において、ホーン長が互いに異なる少なくとも３本のバックロードホーンを備えることを特徴とする、マルチバックロードホーン型スピーカー装置。
【請求項２】
請求項１に記載のマルチバックロードホーン型スピーカー装置において、前記空気室と前記バックロードホーンとの連通部に絞り部を備えることを特徴とする、マルチバックロードホーン型スピーカー装置。
【請求項３】
前記バックロードホーンは、複数本の音道管によって形成され、互いに隣接する音道管の管壁に共通の開口部を備えることを特徴とする、請求項１または２に記載のマルチバックロードホーン型スピーカー装置。
【請求項４】
請求項１から３のいずれかに記載のマルチバックロードホーン型スピーカー装置において、前記空気室にガイドプレートを備えることを特徴とする、マルチバックロードホーン型スピーカー装置。
【請求項５】
前記複数本の音道管は、径方向における断面の形状が同じ管によって形成されることを特徴とする、請求項１から４のいずれかに記載のマルチバックロードホーン型スピーカー装置。
【発明の詳細な説明】
【技術分野】
【０００１】
本発明は、ホーン長が互いに異なる少なくとも３本のバックロードホーンを備えた、マルチバックロードホーン型スピーカー装置に関するものである。
【背景技術】
【０００２】
スピーカー装置は、スピーカーユニットをエンクロージャーに装着しないと、音圧レベルが低下する。その理由は、スピーカーユニットの前面から放出される音と、背面から放出される音とが、互いに打ち消しあうからである。密閉型スピーカー装置は、スピーカーユニットの背面から放出される音を、エンクロージャー内部に備えた吸音材で減衰させることによって、音圧レベルの低下を防いでいる。しかし、密閉型スピーカー装置は、低音域における音圧レベルが不足する問題がある。密閉型スピーカー装置は、低音域における音圧レベルを上げるために、スピーカーユニットとエンクロージャーを大型化する必要がある。
【０００３】
バックロードホーン型スピーカー装置は、バックロードホーンの最低共振周波数をベースに設計される。バックロードホーンの最低共振周波数は、ホーン長とホーンの両端における開閉条件と音速とから計算される。一般的なバックロードホーン型スピーカー装置のホーン長は、１．２ｍから２．４ｍである。ホーンの両端が開と音速が毎秒３４０ｍとの条件から計算される最低共振周波数は、ホーン長が１．２ｍのときは１４２Ｈｚであり、２．４ｍのときは７１Ｈｚである。最低共振周波数は、ホーン長が長くなるにつれて低くなる。バックロードホーン型スピーカー装置は、スピーカーユニットの背面から放出される音を、バックロードホーンを介し、最低共振周波数付近の音圧レベルを上げてエンクロージャー外面に放出する。そのため、バックロードホーン型スピーカー装置は、密閉型スピーカー装置と比較して、低音域における音圧レベルが高い。
【先行技術文献】
【特許文献】
【０００４】
【特許文献１】特開２０１４−８６７５８号公報
【特許文献２】特開２０１７−１６３５１５号公報
【発明の概要】
【発明が解決しようとする課題】
【０００５】
従来のバックロードホーン型スピーカー装置は、低音域における音圧レベルを上げることを目的に設計されているため、中高音域における音圧レベルとのバランスが悪くなる。そのため、バックロードホーン型スピーカー装置は、高音域専用のツィーターを追加して使用される場合もある。特許文献１に記載されたツインバックロードホーン型スピーカーは、低音域における音響特性の改善を目的としており、中高音域における音響特性の改善については着目していない。
【０００６】
バックロードホーン型スピーカー装置は、バックロードホーンのホーン長によって定まる最低共振周波数付近の音圧レベルを上げる。バックロードホーン型スピーカー装置の周波数特性は、共振を利用して音圧レベルを上げるので、平坦ではなく、音圧レベルの山とか谷とかが、複数の周波数に現れる。
【０００７】
そこで、本発明は、従来はアンプ側で電気的に行うイコライザー機能を、簡易な構成であるが、物理的な構造体であるスピーカー装置のエンクロージャー側で行い、音響特性を高めたスピーカー装置を提供することを課題としている。
【０００８】
バックロードホーン型スピーカー装置は、スピーカーユニットの背面から放出される音を利用するので、通常はエンクロージャー内部に吸音材を備えない。バックロードホーン型スピーカー装置は、エンクロージャー内部に発生する音の乱れを抑制するために、吸音材を備える場合もあるが、音圧レベルが低下する問題がある。
【０００９】
バックロードホーン型スピーカー装置は、設計の自由度が高く、バックロードホーンのホーン長、音道面積の広がり形状、音道の折り畳み形状などのパラメータを組み合わせて設計される。そのため、バックロードホーン型スピーカー装置は、寸法が異なる多くの種類数の部材により形成される。その結果、バックロードホーン型スピーカー装置は、大量生産には適さず、製作コストが高くなる問題がある。
【課題を解決するための手段】
【００１０】
前記課題を解決するために、本発明のマルチバックロードホーン型スピーカー装置は、スピーカーユニットの背面側に空気室と、一端が前記空気室と通じ他端がスピーカー装置の外面に開口したバックロードホーンと、を備えるバックロードホーン型スピーカー装置において、ホーン長が互いに異なる少なくとも３本のバックロードホーンを備えることを特徴とする。かかる構成とすることで、本発明のマルチバックロードホーン型スピーカー装置は、低い周波数用と中間の周波数用と高い周波数用との少なくとも３本のバックロードホーンを備える。すなわち、本発明のマルチバックロードホーン型スピーカー装置は、従来技術のスピーカー装置と比較して、低音域だけではなく、中高音域における音響特性も改善できる。なお、本発明において、低い周波数とは２００Ｈｚ以下の周波数を、高い周波数とは１０００Ｈｚ以上の周波数を、中間の周波数とは２００Ｈｚを超え１０００Ｈｚ未満の周波数をいう。
【００１１】
また、本発明のマルチバックロードホーン型スピーカー装置は、空気室とバックロードホーンとの連通部に絞り部を備えることを特徴とする。バックロードホーンから放出される音圧のレベルは、前記絞り部の面積を変えることによって調整できる。すなわち、本発明のマルチバックロードホーン型スピーカー装置は、ホーン長が互いに異なる少なくとも３本のバックロードホーンについて、それぞれの絞り部の面積を変えることによって、低い周波数用と中間の周波数用と高い周波数用との少なくとも３本のバックロードホーンから放出される音圧のレベルを、それぞれ個別に調整できる。
【００１２】
特許文献２に記載されたスピーカー用箱におけるスロート面積設定体は、スピーカーユニットの特性に合ったスロート面積設定を行うものであり、音質の改善を課題としている。一方、本発明における絞り部は、ホーン長が互いに異なる少なくとも３本のバックロードホーンについて、音圧レベルをそれぞれ個別に調整するものであり、特許文献２に記載されたスピーカー用箱におけるスロート面積設定体とは、用途が異なる。
【００１３】
本発明のマルチバックロードホーン型スピーカー装置の一実施形態では、バックロードホーンは、複数本の音道管によって形成され、互いに隣接する音道管の管壁に共通の開口部を備えることを特徴とする。なお、前記開口部は、スピーカーユニットに近い位置から遠い位置までの間で、任意の位置に配置できる。前記開口部をスピーカーユニットに近い位置に配置すると、ホーン長は短くなる。また、前記開口部をスピーカーユニットから遠い位置に配置すると、ホーン長は長くなる。すなわち、本発明のマルチバックロードホーン型スピーカー装置は、音道管の長さを変えることなく、ホーン長の異なる設計が可能であり、ホーン長が互いに異なる少なくとも３本のバックロードホーンについて、それぞれ個別に最低共振周波数を調整できる。
【００１４】
本発明のマルチバックロードホーン型スピーカー装置は、ホーン長が互いに異なる少なくとも３本のバックロードホーンについて、音圧レベルと最低共振周波数とを、それぞれ個別に調整できる。すなわち、本発明のマルチバックロードホーン型スピーカー装置は、簡易な構成であるが、イコライザー機能を備えており、従来技術のスピーカー装置と比較して、より良く調整された音響特性が得られる。
【００１５】
本発明のマルチバックロードホーン型スピーカー装置のさらなる一実施形態では、空気室にガイドプレートを備えることを特徴とする。かかる構成とすれば、吸音材を使用することなく、前記ガイドプレートによって、空気室に発生する音の乱れが抑制され、スピーカーユニットの背面から放出される音が、効率良く音道管へ誘導される。
【００１６】
本発明のマルチバックロードホーン型スピーカー装置のさらなる一実施形態では、複数本の音道管は、径方向における断面の形状が同じ管によって形成されることを特徴とする。それにより、バックロードホーン型スピーカー装置を構成する部品の種類数が減る。また、複数本の音道管は、断面の形状だけではなく、長さも同じにしてもよい。その結果、本発明のマルチバックロードホーン型スピーカー装置は、大量生産に適する。大量生産することにより、部品の製作精度が向上し、スピーカー装置の組み立てが容易になる。
【発明の効果】
【００１７】
本発明のマルチバックロードホーン型スピーカー装置は、ホーン長が互いに異なる少なくとも３本のバックロードホーンについて、音圧レベルと最低共振周波数とを、それぞれ個別に調整できる。それにより、音楽の様々なジャンルに適した周波数特性を持つスピーカー装置を提供できる。
【図面の簡単な説明】
【００１８】
【図１】マルチバックロードホーン型スピーカー装置の部分断面斜視図
【図２】マルチバックロードホーン型スピーカー装置の音道管を説明する斜視図
【図３】バックロードホーンの最大ホーン長を説明する斜視図
【図４】図３のバックロードホーンの正面図
【図５】図３のバックロードホーンを図４のＤ−Ｄ線で切断した断面図
【図６】バックロードホーンの最大ホーン長を説明する斜視図
【図７】図６のバックロードホーンの正面図
【図８】図６のバックロードホーンを図７のＥ−Ｅ線で切断した断面図
【図９】バックロードホーンの中間ホーン長を説明する斜視図
【図１０】図９のバックロードホーンの正面図
【図１１Ａ】図９のバックロードホーンを図１０のＦ−Ｆ線で切断した断面図
【図１１Ｂ】図１１Ａのバックロードホーンについて、隔壁板を追加した断面図
【図１２】バックロードホーンの中間ホーン長を説明する斜視図
【図１３】図１２のバックロードホーンの正面図
【図１４Ａ】図１２のバックロードホーンを図１３のＧ−Ｇ線で切断した断面図
【図１４Ｂ】図１４Ａのバックロードホーンについて、隔壁板を追加した断面図
【図１５】バックロードホーンの最小ホーン長を説明する斜視図
【図１６】図１５のバックロードホーンの正面図
【図１７Ａ】図１５のバックロードホーンを図１６のＨ−Ｈ線で切断した断面図
【図１７Ｂ】図１７Ａのバックロードホーンについて、隔壁板を追加した断面図
【図１８】バックロードホーンの最小ホーン長を説明する斜視図
【図１９】図１８のバックロードホーンの正面図
【図２０Ａ】図１８のバックロードホーンを図１９のＩ−Ｉ線で切断した断面図
【図２０Ｂ】図２０Ａのバックロードホーンについて、隔壁板を追加した断面図
【図２１】バックロードホーンの出口面積を拡大する方法を説明する斜視図
【図２２】図２１のバックロードホーンの正面図
【図２３】図２１のバックロードホーンの側面図
【図２４】図２１のバックロードホーンを図２３のＪ−Ｊ線で切断した断面の展開図
【図２５】バックロードホーンの出口面積を拡大する方法を説明する斜視図
【図２６】図２５のバックロードホーンの正面図
【図２７】図２５のバックロードホーンの側面図
【図２８】図２５のバックロードホーンを図２７のＫ−Ｋ線で切断した断面の展開図
【図２９】バックロードホーンの広がり率を調整する方法を説明する斜視図
【図３０】図２９のバックロードホーンの正面図
【図３１】図２９のバックロードホーンの側面図
【図３２】図２９のバックロードホーンを図３１のＭ−Ｍ線で切断した断面の展開図
【図３３】バックロードホーンの広がり率を調整する方法を説明する斜視図
【図３４】図３３のバックロードホーンの正面図
【図３５】図３３のバックロードホーンの側面図
【図３６】図３３のバックロードホーンを図３５のＮ−Ｎ線で切断した断面の展開図
【図３７】実施例１におけるマルチバックロードホーン型スピーカー装置の斜視図
【図３８】実施例１におけるマルチバックロードホーン型スピーカー装置の分解図
【図３９】実施例１における音道管の斜視図
【図４０】実施例１におけるマルチバックロードホーンの分解図
【図４１】実施例１におけるマルチバックロードホーンの斜視図
【図４２】実施例１におけるマルチバックロードホーンの正面図
【図４３Ａ】実施例１における第１のバックロードホーンを図４２のＡ−Ａ線で切断した断面の展開図
【図４３Ｂ】実施例１における第２のバックロードホーンを図４２のＢ−Ｂ線で切断した断面の展開図
【図４３Ｃ】実施例１における第３のバックロードホーンを図４２のＣ−Ｃ線で切断した断面の展開図
【図４３Ｄ】実施例１における第４のバックロードホーンを図４２のＤ−Ｄ線で切断した断面の展開図
【図４３Ｅ】実施例１における第５のバックロードホーンを図４２のＥ−Ｅ線で切断した断面の展開図
【図４３Ｆ】実施例１における第６のバックロードホーンを図４２のＦ−Ｆ線で切断した断面の展開図
【図４４】ガイドプレートの実施態様を示す斜視図
【図４５】実施例２におけるマルチバックロードホーン型スピーカー装置の斜視図
【図４６】実施例２におけるマルチバックロードホーン型スピーカー装置の分解図
【図４７】実施例２における音道管の斜視図
【図４８】実施例２におけるマルチバックロードホーンの分解図
【図４９】実施例２におけるマルチバックロードホーンの斜視図
【図５０Ａ】実施例２における第１のバックロードホーンの正面図
【図５０Ｂ】実施例２における第２及び第３のバックロードホーンの正面図
【図５０Ｃ】実施例２における第４及び第５のバックロードホーンの正面図
【図５１Ａ】実施例２における第１のバックロードホーンを図５０ＡのＡ−Ａ線で切断した断面の展開図
【図５１Ｂ】実施例２における第２のバックロードホーンを図５０ＢのＢ−Ｂ線で切断した断面の展開図
【図５１Ｃ】実施例２における第３のバックロードホーンを図５０ＢのＣ−Ｃ線で切断した断面の展開図
【図５１Ｄ】実施例２における第４のバックロードホーンを図５０ＣのＤ−Ｄ線で切断した断面の展開図
【図５１Ｅ】実施例２における第５のバックロードホーンを図５０ＣのＥ−Ｅ線で切断した断面の展開図
【図５２】実施例３におけるマルチバックロードホーン型スピーカー装置の斜視図
【図５３】実施例３におけるマルチバックロードホーン型スピーカー装置の分解図
【図５４】実施例３における音道管の斜視図
【図５５】実施例３におけるマルチバックロードホーンの分解図
【図５６】実施例３におけるマルチバックロードホーンの部分断面斜視図
【図５７】実施例３におけるマルチバックロードホーンの正面図
【図５８Ａ】実施例３における第１のバックロードホーンを図５７のＡ−Ａ線で切断した断面の展開図
【図５８Ｂ】実施例３における第２のバックロードホーンを図５７のＢ−Ｂ線で切断した断面の展開図
【図５８Ｃ】実施例３における第３のバックロードホーンを図５７のＣ−Ｃ線で切断した断面の展開図
【図５８Ｄ】実施例３における第４のバックロードホーンを図５７のＤ−Ｄ線で切断した断面の展開図
【図５８Ｅ】実施例３における第５のバックロードホーンを図５７のＥ−Ｅ線で切断した断面の展開図
【図５９】実施例４におけるマルチバックロードホーン型スピーカー装置の斜視図
【図６０】実施例４におけるマルチバックロードホーン型スピーカー装置の分解図
【図６１】実施例４における音道管の斜視図
【図６２】実施例４におけるマルチバックロードホーンの分解図
【図６３】実施例４におけるマルチバックロードホーンの斜視図
【図６４Ａ】実施例４における第１のバックロードホーンの正面図
【図６４Ｂ】実施例４における第２及び第３のバックロードホーンの正面図
【図６４Ｃ】実施例４における第４及び第５のバックロードホーンの正面図
【図６５Ａ】実施例４における第１のバックロードホーンを図６４ＡのＡ−Ａ線で切断した断面の展開図
【図６５Ｂ】実施例４における第２のバックロードホーンを図６４ＢのＢ−Ｂ線で切断した断面の展開図
【図６５Ｃ】実施例４における第３のバックロードホーンを図６４ＢのＣ−Ｃ線で切断した断面の展開図
【図６５Ｄ】実施例４における第４のバックロードホーンを図６４ＣのＤ−Ｄ線で切断した断面の展開図
【図６５Ｅ】実施例４における第５のバックロードホーンを図６４ＣのＥ−Ｅ線で切断した断面の展開図
【図６６】実施例５におけるマルチバックロードホーン型スピーカー装置の斜視図
【図６７】実施例５におけるマルチバックロードホーン型スピーカー装置の分解図
【図６８】実施例５における音道管の斜視図
【図６９】実施例５におけるマルチバックロードホーンの分解図
【図７０】実施例５におけるマルチバックロードホーンの斜視図
【図７１】実施例５におけるマルチバックロードホーンの正面図
【図７２Ａ】実施例５における第１のバックロードホーンの正面図
【図７２Ｂ】実施例５における第２のバックロードホーンの正面図
【図７２Ｃ】実施例５における第３のバックロードホーンの正面図
【図７２Ｄ】実施例５における第４のバックロードホーンの正面図
【図７２Ｅ】実施例５における第５のバックロードホーンの正面図
【図７３Ａ】実施例５における第１のバックロードホーンを図７２ＡのＶＡ方向から見た矢示図
【図７３Ｂ】実施例５における第２のバックロードホーンを図７２ＢのＶＢ方向から見た矢示図
【図７３Ｃ】実施例５における第３のバックロードホーンを図７２ＣのＶＣ方向から見た矢示図
【図７３Ｄ】実施例５における第４のバックロードホーンを図７２ＤのＶＤ方向から見た矢示図
【図７３Ｅ】実施例５における第５のバックロードホーンを図７２ＥのＶＥ方向から見た矢示図
【図７４Ａ】実施例５における第１のバックロードホーンを図７３ＡのＡ−Ａ線で切断した断面の展開図
【図７４Ｂ】実施例５における第２のバックロードホーンを図７３ＢのＢ−Ｂ線で切断した断面の展開図
【図７４Ｃ】実施例５における第３のバックロードホーンを図７３ＣのＣ−Ｃ線で切断した断面の展開図
【図７４Ｄ】実施例５における第４のバックロードホーンを図７３ＤのＤ−Ｄ線で切断した断面の展開図
【図７４Ｅ】実施例５における第５のバックロードホーンを図７３ＥのＥ−Ｅ線で切断した断面の展開図
【図７５】実施例６におけるマルチバックロードホーン型スピーカー装置の斜視図
【図７６】実施例６におけるマルチバックロードホーン型スピーカー装置の分解図
【図７７】実施例６における音道管の斜視図
【図７８】実施例６におけるマルチバックロードホーンの分解図
【図７９】実施例６におけるマルチバックロードホーンの斜視図
【図８０】実施例６におけるマルチバックロードホーンの正面図
【図８１Ａ】実施例６における第１のバックロードホーンの正面図
【図８１Ｂ】実施例６における第２のバックロードホーンの正面図
【図８１Ｃ】実施例６における第３のバックロードホーンの正面図
【図８１Ｄ】実施例６における第４のバックロードホーンの正面図
【図８１Ｅ】実施例６における第５のバックロードホーンの正面図
【図８２Ａ】実施例６における第１のバックロードホーンを図８１ＡのＶＡ方向から見た矢示図
【図８２Ｂ】実施例６における第２のバックロードホーンを図８１ＢのＶＢ方向から見た矢示図
【図８２Ｃ】実施例６における第３のバックロードホーンを図８１ＣのＶＣ方向から見た矢示図
【図８２Ｄ】実施例６における第４のバックロードホーンを図８１ＤのＶＤ方向から見た矢示図
【図８２Ｅ】実施例６における第５のバックロードホーンを図８１ＥのＶＥ方向から見た矢示図
【図８３Ａ】実施例６における第１のバックロードホーンを図８２ＡのＡ−Ａ線で切断した断面図
【図８３Ｂ】実施例６における第２のバックロードホーンを図８２ＢのＢ−Ｂ線で切断した断面の展開図
【図８３Ｃ】実施例６における第３のバックロードホーンを図８２ＣのＣ−Ｃ線で切断した断面の展開図
【図８３Ｄ】実施例６における第４のバックロードホーンを図８２ＤのＤ−Ｄ線で切断した断面の展開図
【図８３Ｅ】実施例６における第５のバックロードホーンを図８２ＥのＥ−Ｅ線で切断した断面の展開図
【図８４】実施例７におけるマルチバックロードホーン型スピーカー装置の斜視図
【図８５】実施例７におけるマルチバックロードホーン型スピーカー装置の分解図
【図８６】実施例７における音道管の斜視図
【図８７】実施例７におけるマルチバックロードホーンの分解図
【図８８】実施例７におけるマルチバックロードホーンの斜視図
【図８９】実施例７におけるマルチバックロードホーンの正面図
【図９０】実施例７におけるマルチバックロードホーンの正面図
【図９１Ａ】実施例７における第１及び第３のバックロードホーンを図９０のＡ−Ａ線で切断した断面図
【図９１Ｂ】実施例７における第２及び第４のバックロードホーンを図９０のＢ−Ｂ線で切断した断面の展開図
【発明を実施するための形態】
【００１９】
以下、本発明の実施の形態について、図面を参照しながら説明する。
【００２０】
図１は、マルチバックロードホーン型スピーカー装置１の全体構成を説明する部分断面斜視図である。図２は、マルチバックロードホーン型スピーカー装置１に使用される音道管１５１を説明する斜視図である。図１は、バックロードホーンの本数が３本の例を示すが、マルチバックロードホーン１５を構成するバックロードホーンの本数は、３本以上の任意の本数としてもよい。なお、後述する本発明の実施例におけるバックロードホーンの本数は、４本から６本である。また、図１における第１から第３のバックロードホーン１５０ａ〜ｃを構成する音道管１５１の本数と接続方法は、説明用に一例を示したものである。
【００２１】
マルチバックロードホーン型スピーカー装置１は、スピーカーユニット１１と、エンクロージャー１３と、マルチバックロードホーン１５とで構成されている。マルチバックロードホーン１５は、第１のバックロードホーン１５０ａと、第２のバックロードホーン１５０ｂと、第３のバックロードホーン１５０ｃとで構成されている。空気室Ｓ１３は、エンクロージャー１３に囲まれた内側の空間である。
【００２２】
第１のバックロードホーン１５０ａは、１本の音道管１５１ａで形成されている。音道管１５１ａに設けられた管壁開口部１５２ａは、バックロードホーン１５０ａの入口絞り部１３２ａと連通するように配置されている。バックロードホーン１５０ａの出口開口部１５４ａは、マルチバックロードホーン型スピーカー装置１の外面に開口している。第１のバックロードホーン１５０ａのホーン長は、音道管１５１の１本分であり、ホーン出口面積は、音道管１５１の１本分である。
【００２３】
第２のバックロードホーン１５０ｂは、３本の音道管１５１ｂで形成されている。エンクロージャー１３と連結した音道管１５１ｂに設けられた管壁開口部１５２ｂは、バックロードホーン１５０ｂの入口絞り部１３２ｂと連通するように配置されている。互いに隣接する音道管１５１ｂの管壁に共通の開口部１５２ｂを備えている。バックロードホーン１５０ｂの出口開口部１５４ｂは、マルチバックロードホーン型スピーカー装置１の外面に開口している。第２のバックロードホーン１５０ｂのホーン長は、音道管１５１の２本分であり、ホーン出口面積は、音道管１５１の２本分である。
【００２４】
第３のバックロードホーン１５０ｃは、７本の音道管１５１ｃで形成されている。エンクロージャー１３と連結した音道管１５１ｃに設けられた管壁開口部１５２ｃは、バックロードホーン１５０ｃの入口絞り部１３２ｃと連通するように配置されている。互いに隣接する音道管１５１ｃの管壁に共通の開口部１５２ｃを備えている。バックロードホーン１５０ｃの出口開口部１５４ｃは、マルチバックロードホーン型スピーカー装置１の外面に開口している。第３のバックロードホーン１５０ｃのホーン長は、音道管１５１の４本分であり、ホーン出口面積は、音道管１５１の３本分である。
【００２５】
前記３本のバックロードホーン１５０ａ〜ｃのホーン長は、互いに長さが異なる。かかる構成とすることで、本発明のマルチバックロードホーン型スピーカー装置１は、低い周波数用と中間の周波数用と高い周波数用との３本のバックロードホーン１５０ａ〜ｃを備える。
【００２６】
図１に示すバックロードホーン１５０ａ〜ｃの入口絞り部１３２ａ〜ｃの面積は、略ゼロから音道管の断面積までの間で変えることができる。かかる構成とすることで、本発明のマルチバックロードホーン型スピーカー装置１は、低い周波数用と中間の周波数用と高い周波数用との３本のバックロードホーン１５０ａ〜ｃから放出される音圧のレベルを、それぞれ個別に調整できる。
【００２７】
図２に示す音道管１５１に設ける管壁開口部１５２の位置は、出口開口部１５４の位置を基準にして、遠い位置から近い位置の間で、任意の位置に配置できる。それにより、音道管１５１の長さを変えることなく、バックロードホーンのホーン長を変えることができる。つまり、管壁開口部１５２を出口開口部１５４に近い位置に配置すると、ホーン長は短くなる。また、管壁開口部１５２を出口開口部１５４から遠い位置に配置すると、ホーン長は長くなる。すなわち、本発明のマルチバックロードホーン型スピーカー装置１は、音道管１５１の長さを変えることなく、ホーン長の異なる設計が可能である。それにより、ホーン長が互いに異なる３本のバックロードホーン１５０ａ〜ｃについて、それぞれ個別に最低共振周波数を調整できる。
【００２８】
図３から図３６は、複数本の音道管を接続して形成されるバックロードホーンの説明図である。同じサイズの音道管を、折り畳まないで階段状に接続する方法と、コンパクトに折り畳んで接続する方法とを対比して説明する。
【００２９】
音道管を直列に接続すれば、ホーン長が長くなる。音道管を並列に接続すれば、ホーンの断面積が大きくなる。また、音道管に設ける管壁開口部の位置を変えれば、音道管の長さを変えることなく、ホーン長を調整できる。複数本の音道管について、直列接続と並列接続とホーン長の調整とを組み合わせてバックロードホーンを形成すれば、バックロードホーンの入口から出口までの断面をラッパ状に広げることができる。
【００３０】
図３から図８は、バックロードホーンの最大ホーン長を説明する図面である。
【００３１】
図３は、同じサイズの音道管１５１ｄを４本使って、階段状に直列接続したバックロードホーン１５０ｄの斜視図である。図４は、図３のバックロードホーン１５０ｄの正面図である。図５は、図３のバックロードホーン１５０ｄを図４のＤ−Ｄ線で切断した断面図である。
【００３２】
図６は、同じサイズの音道管１５１ｅを４本使って、コンパクトに折り畳んで直列接続したバックロードホーン１５０ｅの斜視図である。図７は、図６のバックロードホーン１５０ｅの正面図である。図８は、図６のバックロードホーン１５０ｅを図７のＥ−Ｅ線で切断した断面図である。
【００３３】
図９から図１４は、バックロードホーンの中間ホーン長を説明する図面である。
【００３４】
図９は、同じサイズの音道管１５１ｆを４本使って、階段状に直列接続したバックロードホーン１５０ｆの斜視図である。図１０は、図９のバックロードホーン１５０ｆの正面図である。図１１Ａは、図９のバックロードホーン１５０ｆを図１０のＦ−Ｆ線で切断した断面図である。図１１Ｂは、図１１Ａの中間ホーン長のバックロードホーン１５０ｆについて、音圧レベルの低下を防止するために、隔壁板１５３ｆを追加した断面図である。
【００３５】
図１２は、同じサイズの音道管１５１ｇを４本使って、コンパクトに折り畳んで直列接続したバックロードホーン１５０ｇの斜視図である。図１３は、図１２のバックロードホーン１５０ｇの正面図である。図１４Ａは、図１２のバックロードホーン１５０ｇを図１３のＧ−Ｇ線で切断した断面図である。図１４Ｂは、図１４Ａの中間ホーン長のバックロードホーン１５０ｇについて、音圧レベルの低下を防止するために、隔壁板１５３ｇを追加した断面図である。
【００３６】
図１５から図２０は、バックロードホーンの最小ホーン長を説明する図面である。
【００３７】
図１５は、同じサイズの音道管１５１ｈを４本使って、互い違いに直列接続したバックロードホーン１５０ｈの斜視図である。図１６は、図１５のバックロードホーン１５０ｈの正面図である。図１７Ａは、図１５のバックロードホーン１５０ｈを図１６のＨ−Ｈ線で切断した断面図である。図１７Ｂは、図１７Ａの最小ホーン長のバックロードホーン１５０ｈについて、音圧レベルの低下を防止するために、隔壁板１５３ｈを追加した断面図である。
【００３８】
図１８は、同じサイズの音道管１５１ｉを４本使って、コンパクトに折り畳んで直列接続したバックロードホーン１５０ｉの斜視図である。図１９は、図１８のバックロードホーン１５０ｉの正面図である。図２０Ａは、図１８のバックロードホーン１５０ｉを図１９のＩ−Ｉ線で切断した断面図である。図２０Ｂは、図２０Ａの最小ホーン長のバックロードホーン１５０ｉについて、音圧レベルの低下を防止するために、隔壁板１５３ｉを追加した断面図である。
【００３９】
図２１から図２８は、バックロードホーンの出口面積を拡大する方法を説明する図面である。
【００４０】
図２１は、同じサイズの音道管１５１ｊを１０本使って、階段状に直列接続及び並列接続したバックロードホーン１５０ｊの斜視図である。図２２は、図２１のバックロードホーン１５０ｊの正面図である。図２３は、図２１のバックロードホーン１５０ｊの側面図である。図２４は、図２１のバックロードホーン１５０ｊを図２３のＪ−Ｊ線で切断した断面の展開図である。バックロードホーン１５１ｊのホーン長は、音道管１５１ｊの４本分であり、ホーン出口面積は、音道管１５１ｊの４本分である。
【００４１】
図２５は、同じサイズの音道管１５１ｋを１０本使って、コンパクトに折り畳んで直列接続及び並列接続したバックロードホーン１５０ｋの斜視図である。図２６は、図２５のバックロードホーン１５０ｋの正面図である。図２７は、図２５のバックロードホーン１５０ｋの側面図である。図２８は、図２５のバックロードホーン１５０ｋを図２７のＫ−Ｋ線で切断した断面の展開図である。バックロードホーン１５１ｋのホーン長は、音道管１５１ｋの４本分であり、ホーン出口面積は、音道管１５１ｋの４本分である。
【００４２】
図２９から図３６は、バックロードホーンの広がり率を調整する方法を説明する図面である。
【００４３】
図２９は、同じサイズの音道管１５１ｍを１０本使って、階段状に直列接続及び並列接続したバックロードホーン１５０ｍの斜視図である。図３０は、図２９のバックロードホーン１５０ｍの正面図である。図３１は、図２９のバックロードホーン１５０ｍの側面図である。図３２は、図３０のバックロードホーン１５０ｍを図３１のＭ−Ｍ線で切断した断面の展開図である。バックロードホーン１５１ｍのホーン長は、音道管１５１ｍの略２本分であり、ホーン出口面積は、音道管１５１ｍの４本分である。図３２は、バックロードホーンの入口から出口までの断面をラッパ状に広げる場合の一例を示している。
【００４４】
図３３は、同じサイズの音道管１５１ｎを１０本使って、コンパクトに折り畳んで直列接続及び並列接続したバックロードホーン１５０ｎの斜視図である。図３４は、図３３のバックロードホーン１５０ｎの正面図である。図３５は、バックロードホーン１５０ｎの側面図である。図３６は、図３３のバックロードホーン１５０ｎを図３５のＮ−Ｎ線で切断した断面の展開図である。バックロードホーン１５１ｎのホーン長は、音道管１５１ｎの略２本分であり、ホーン出口面積は、音道管１５１ｎの４本分である。図３６は、バックロードホーンの入口から出口までの断面をラッパ状に広げる場合の一例を示している。
【実施例１】
【００４５】
本発明の実施例１におけるマルチバックロードホーン型スピーカー装置２を図３７及び図３８に示す。図３９は、実施例１に使用される音道管２５１の斜視図である。音道管２５１の径方向における断面の形状は、正方形である。音道管２５１の寸法は、外側が一辺３７ｍｍの正方形、内側が一辺２５ｍｍの正方形、厚み６ｍｍ、軸方向の長さ２００ｍｍである。スピーカーユニット２１は、１０ｃｍフルレンジコーンスピーカーである。空気室Ｓ２３の容積は、１．３９リットルである。スピーカーユニット２１を除いた状態で、マルチバックロードホーン型スピーカー装置２の外形寸法は、幅２７１ｍｍ、奥行２９１ｍｍ、高さ２３４ｍｍである。
【００４６】
マルチバックロードホーン型スピーカー装置２は、スピーカーユニット２１と、バッフル板２２と、エンクロージャー２３と、仕切り板２４と、マルチバックロードホーン２５と、外枠２６と、裏板２７とで構成される。空気室Ｓ２３は、エンクロージャー２３に囲まれた内側の空間である。
【００４７】
図４０は、実施例１におけるマルチバックロードホーン２５の分解図である。マルチバックロードホーン２５は、第１のバックロードホーン２５０ａと、第２のバックロードホーン２５０ｂと、第３のバックロードホーン２５０ｃと、第４のバックロードホーン２５０ｄと、第５のバックロードホーン２５０ｅと、第６のバックロードホーン２５０ｆとで構成されている。第１から第６のバックロードホーン２５０ａ〜ｆは、それぞれ２本、４本、６本、８本、１０本、１２本の音道管２５１で構成されている。音道管２５１の総数は、４２本である。
【００４８】
図４１は、実施例１におけるマルチバックロードホーン２５の斜視図であり、図４２は正面図である。図４３Ａから図４３Ｆは、第１から第６のバックロードホーン２５０ａ〜ｆを図４２のＡ−Ａ線からＦ−Ｆ線で切断した断面の展開図である。
【００４９】
図４３Ａに示す第１のバックロードホーン２５０ａのホーン長は、音道管２５１の２本分である。音道管に設ける管壁開口部の位置を変更することによるホーン長の調整範囲は、７４ｍｍ〜４２４ｍｍである。最低共振周波数の調整範囲は、４０１Ｈｚ〜２２９７Ｈｚである。
【００５０】
図４３Ｂに示す第２のバックロードホーン２５０ｂのホーン長は、音道管２５１の４本分である。音道管に設ける管壁開口部の位置を変更することによるホーン長の調整範囲は、１４８ｍｍ〜８７３ｍｍである。最低共振周波数の調整範囲は、１９５Ｈｚ〜４１８Ｈｚである。
【００５１】
図４３Ｃに示す第３のバックロードホーン２５０ｃのホーン長は、音道管２５１の６本分である。音道管に設ける管壁開口部の位置を変更することによるホーン長の調整範囲は、２２２ｍｍ〜１３２２ｍｍである。最低共振周波数の調整範囲は、１２９Ｈｚ〜７６６Ｈｚである。
【００５２】
図４３Ｄに示す第４のバックロードホーン２５０ｄのホーン長は、音道管２５１の８本分である。音道管に設ける管壁開口部の位置を変更することによるホーン長の調整範囲は、２９６ｍｍ〜１７７１ｍｍである。最低共振周波数の調整範囲は、９６Ｈｚ〜５７４Ｈｚである。
【００５３】
図４３Ｅに示す第５のバックロードホーン２５０ｅのホーン長は、音道管２５１の１０本分である。音道管に設ける管壁開口部の位置を変更することによるホーン長の調整範囲は、３７０ｍｍ〜２２２０ｍｍである。最低共振周波数の調整範囲は、７７Ｈｚ〜４５９Ｈｚである。
【００５４】
図４３Ｆに示す第６のバックロードホーン２５０ｆのホーン長は、音道管２５１の１２本分である。音道管に設ける管壁開口部の位置を変更することによるホーン長の調整範囲は、４４４ｍｍ〜２６６９ｍｍである。最低共振周波数の調整範囲は、６４Ｈｚ〜３８３Ｈｚである。
【００５５】
図４３Ａから図４３Ｆに示す第１から第６のバックロードホーン２５０ａ〜ｆの出口面積は、すべて音道管２５１の１本分であり、バックロードホーンの入口から出口まで同じ面積である。
【００５６】
図４４は、本発明の実施例１におけるガイドプレート２３１ａ〜ｆを説明する斜視図である。マルチバックロードホーン型スピーカー装置２は、空気室Ｓ２３にガイドプレート２３１ａ〜ｆを備える。かかる構成とすれば、吸音材を使用することなく、空気室Ｓ２３に発生する音の乱れを抑制し、スピーカーユニット２１の背面から放出される音を、効率良く音道管２５１へ誘導できる。
【実施例２】
【００５７】
本発明の実施例２におけるマルチバックロードホーン型スピーカー装置３を図４５及び図４６に示す。図４７は、実施例２に使用される音道管３５１の斜視図である。音道管３５１の径方向における断面の形状は、正方形である。音道管３５１の寸法は、外側が一辺３６ｍｍの正方形、内側が一辺２５ｍｍの正方形、厚み５．５ｍｍ、軸方向の長さ２４０ｍｍである。スピーカーユニット３１は、１０ｃｍフルレンジコーンスピーカーである。空気室Ｓ３３の容積は、１．３９リットルである。スピーカーユニット３１を除いた状態で、マルチバックロードホーン型スピーカー装置３の外形寸法は、幅１９１ｍｍ、奥行３６４ｍｍ、高さ２２７ｍｍである。
【００５８】
マルチバックロードホーン型スピーカー装置３は、スピーカーユニット３１と、バッフル板３２と、エンクロージャー３３と、仕切り板３４と、マルチバックロードホーン３５と、外枠３６と、裏板３７と、バックロードホーンの出口拡大部３８とで構成される。空気室Ｓ３３は、エンクロージャー３３に囲まれた内側の空間である。
【００５９】
図４８は、実施例２におけるマルチバックロードホーン３５の分解図である。マルチバックロードホーン３５は、第１のバックロードホーン３５０ａと、第２のバックロードホーン３５０ｂと、第３のバックロードホーン３５０ｃと、第４のバックロードホーン３５０ｄと、第５のバックロードホーン３５０ｅとで構成されている。第１から第５のバックロードホーン３５０ａ〜ｅは、それぞれ２本、４本、６本、８本、１０本の音道管３５１で構成されている。音道管３５１の総数は、３０本である。
【００６０】
図４９は、実施例２におけるマルチバックロードホーン３５の斜視図である。図５０Ａから図５０Ｃは、第１から第５のバックロードホーン３５０ａ〜ｅの正面図である。図５１Ａから図５１Ｅは、第１から第５のバックロードホーン３５０ａ〜ｅを図５０Ａから図５０ＣのＡ−Ａ線からＥ−Ｅ線で切断した断面の展開図である。
【００６１】
図５１Ａに示す第１のバックロードホーン３５０ａのホーン長は、音道管３５１の２本分である。音道管に設ける管壁開口部の位置を変更することによるホーン長の調整範囲は、８５ｍｍ〜５１５ｍｍである。最低共振周波数の調整範囲は、３３０Ｈｚ〜２０００Ｈｚである。
【００６２】
図５１Ｂに示す第２のバックロードホーン３５０ｂのホーン長は、音道管３５１の４本分である。音道管に設ける管壁開口部の位置を変更することによるホーン長の調整範囲は、１５７ｍｍ〜１０１７ｍｍである。最低共振周波数の調整範囲は、１６７Ｈｚ〜１０８３Ｈｚである。
【００６３】
図５１Ｃに示す第３のバックロードホーン３５０ｃのホーン長は、音道管３５１の６本分である。音道管に設ける管壁開口部の位置を変更することによるホーン長の調整範囲は、２２９ｍｍ〜１５１９ｍｍである。最低共振周波数の調整範囲は、１１２Ｈｚ〜７４２Ｈｚである。
【００６４】
図５１Ｄに示す第４のバックロードホーン３５０ｄのホーン長は、音道管３５１の８本分である。音道管に設ける管壁開口部の位置を変更することによるホーン長の調整範囲は、３０１ｍｍ〜２０２１ｍｍである。最低共振周波数の調整範囲は、８４Ｈｚ〜５６５Ｈｚである。
【００６５】
図５１Ｅに示す第５のバックロードホーン３５０ｅのホーン長は、音道管３５１の１０本分である。音道管に設ける管壁開口部の位置を変更することによるホーン長の調整範囲は、３７３ｍｍ〜２５２３ｍｍである。最低共振周波数の調整範囲は、６７Ｈｚ〜４５６Ｈｚである。
【００６６】
図５１Ａから図５１Ｅに示す第１から第５のバックロードホーン３５０ａ〜ｅの出口面積は、すべて音道管３５１の１本分であり、バックロードホーンの入口から出口まで同じ面積である。この実施例２では、バックロードホーン出口に図４６に示す出口拡大部３８を備えており、バックロードホーンの出口面積を拡大している。
【実施例３】
【００６７】
本発明の実施例３におけるマルチバックロードホーン型スピーカー装置４を図５２及び図５３に示す。図５４は、実施例３に使用される音道管４５１の斜視図である。音道管４５１の径方向における断面の形状は、正三角形である。音道管４５１の寸法は、外側が一辺６２ｍｍの正三角形、内側が一辺４１．２ｍｍの正三角形、厚み６ｍｍ、軸方向の長さ２４０ｍｍである。スピーカーユニット４１は、１０ｃｍフルレンジコーンスピーカーである。空気室Ｓ４３の容積は、１．６６リットルである。スピーカーユニット４１を除いた状態で、マルチバックロードホーン型スピーカー装置４の外形寸法は、幅３９３ｍｍ、奥行３３５ｍｍ、高さ３４０ｍｍである。
【００６８】
マルチバックロードホーン型スピーカー装置４は、スピーカーユニット４１と、バッフル板４２と、エンクロージャー４３と、仕切り板４４と、マルチバックロードホーン４５と、外枠４６と、裏板４７とで構成される。空気室Ｓ４３は、エンクロージャー４３に囲まれた内側の空間である。
【００６９】
図５５は、実施例３におけるマルチバックロードホーン４５の分解図である。マルチバックロードホーン４５は、第１のバックロードホーン４５０ａと、第２のバックロードホーン４５０ｂと、第３のバックロードホーン４５０ｃと、第４のバックロードホーン４５０ｄと、第５のバックロードホーン４５０ｅとで構成されている。第１から第５のバックロードホーン４５０ａ〜ｅは、それぞれ２本、４本、６本、８本、１０本の音道管４５１で構成されている。音道管４５１の総数は、３０本である。
【００７０】
図５６は、実施例３におけるマルチバックロードホーン４５の部分断面斜視図であり、図５７は正面図である。図５８Ａから図５８Ｅは、第１から第５のバックロードホーン４５０ａ〜ｅを図５７のＡ−Ａ線からＥ−Ｅ線で切断した断面の展開図である。
【００７１】
図５８Ａに示す第１のバックロードホーン４５０ａのホーン長は、音道管４５１の２本分である。音道管に設ける管壁開口部の位置を変更することによるホーン長の調整範囲は、７３ｍｍ〜５０３ｍｍである。最低共振周波数の調整範囲は、３３８Ｈｚ〜２３２９Ｈｚである。
【００７２】
図５８Ｂに示す第２のバックロードホーン４５０ｂのホーン長は、音道管４５１の４本分である。音道管に設ける管壁開口部の位置を変更することによるホーン長の調整範囲は、１４４ｍｍ〜１００４ｍｍである。最低共振周波数の調整範囲は、１６９Ｈｚ〜１１８１Ｈｚである。
【００７３】
図５８Ｃに示す第３のバックロードホーン４５０ｃのホーン長は、音道管４５１の６本分である。音道管に設ける管壁開口部の位置を変更することによるホーン長の調整範囲は、２１６ｍｍ〜１５０６ｍｍである。最低共振周波数の調整範囲は、１１３Ｈｚ〜７８７Ｈｚである。
【００７４】
図５８Ｄに示す第４のバックロードホーン４５０ｄのホーン長は、音道管４５１の８本分である。音道管に設ける管壁開口部の位置を変更することによるホーン長の調整範囲は、２８８ｍｍ〜２００８ｍｍである。最低共振周波数の調整範囲は、８５Ｈｚ〜５９０Ｈｚである。
【００７５】
図５８Ｅに示す第５のバックロードホーン４５０ｅのホーン長は、音道管４５１の１０本分である。音道管に設ける管壁開口部の位置を変更することによるホーン長の調整範囲は、３５９ｍｍ〜２５０９ｍｍである。最低共振周波数の調整範囲は、６８Ｈｚ〜４７４Ｈｚである。
【００７６】
図５８Ａから図５８Ｅに示す第１から第５のバックロードホーン４５０ａ〜ｅの出口面積は、すべて音道管４５１の略２本分である。この実施例３では、マルチバックロードホーン４５と、外枠４６との間にできた三角形の空間を利用して、バックロードホーンの出口面積を拡大している。
【実施例４】
【００７７】
本発明の実施例４におけるマルチバックロードホーン型スピーカー装置５を図５９及び図６０に示す。図６１は、実施例４に使用される音道管５５１の斜視図である。音道管５５１の径方向における断面の形状は、直角二等辺三角形である。音道管５５１の寸法は、外側が等辺５６ｍｍの直角二等辺三角形、内側が等辺３５．５ｍｍの直角二等辺三角形、厚み６ｍｍ、軸方向の長さ２４０ｍｍである。スピーカーユニット５１は、１０ｃｍフルレンジコーンスピーカーである。空気室Ｓ５３の容積は、１．４０リットルである。スピーカーユニット５１を除いた状態で、マルチバックロードホーン型スピーカー装置５の外形寸法は、幅１８０ｍｍ、奥行３４２ｍｍ、高さ２９２ｍｍである。
【００７８】
マルチバックロードホーン型スピーカー装置５は、スピーカーユニット５１と、バッフル板５２と、エンクロージャー５３と、仕切り板５４と、マルチバックロードホーン５５と、外枠５６と、裏板５７とで構成される。空気室Ｓ５３は、エンクロージャー５３に囲まれた内側の空間である。
【００７９】
図６２は、実施例４におけるマルチバックロードホーン５５の分解図である。マルチバックロードホーン５５は、第１のバックロードホーン５５０ａと、第２のバックロードホーン５５０ｂと、第３のバックロードホーン５５０ｃと、第４のバックロードホーン５５０ｄと、第５のバックロードホーン５５０ｅとで構成されている。第１から第５のバックロードホーン５５０ａ〜ｅは、それぞれ２本、４本、６本、８本、１０本の音道管５５１で構成されている。音道管５５１の総数は、３０本である。
【００８０】
図６３は、実施例４におけるマルチバックロードホーン５５の斜視図である。図６４Ａから図６４Ｃは、第１から第５のバックロードホーン５５０ａ〜ｅの正面図である。図６５Ａから図６５Ｅは、第１から第５のバックロードホーン５５０ａ〜ｅを図６４Ａから図６４ＣのＡ−Ａ線からＥ−Ｅ線で切断した断面の展開図である。
【００８１】
図６５Ａに示す第１のバックロードホーン５５０ａのホーン長は、音道管５５１の２本分である。音道管に設ける管壁開口部の位置を変更することによるホーン長の調整範囲は、８０ｍｍ〜５１０ｍｍである。最低共振周波数の調整範囲は、３３３Ｈｚ〜２１２５Ｈｚである。
【００８２】
図６５Ｂに示す第２のバックロードホーン５５０ｂのホーン長は、音道管５５１の４本分である。音道管に設ける管壁開口部の位置を変更することによるホーン長の調整範囲は、１３６ｍｍ〜９９６ｍｍである。最低共振周波数の調整範囲は、１７１Ｈｚ〜１２５０Ｈｚである。
【００８３】
図６５Ｃに示す第３のバックロードホーン５５０ｃのホーン長は、音道管５５１の６本分である。音道管に設ける管壁開口部の位置を変更することによるホーン長の調整範囲は、１９２ｍｍ〜１４８２ｍｍである。最低共振周波数の調整範囲は、１１５Ｈｚ〜８８５Ｈｚである。
【００８４】
図６５Ｄに示す第４のバックロードホーン５５０ｄのホーン長は、音道管５５１の８本分である。音道管に設ける管壁開口部の位置を変更することによるホーン長の調整範囲は、２４８ｍｍ〜１９６８ｍｍである。最低共振周波数の調整範囲は、８６Ｈｚ〜６８５Ｈｚである。
【００８５】
図６５Ｅに示す第５のバックロードホーン５５０ｅのホーン長は、音道管５５１の１０本分である。音道管に設ける管壁開口部の位置を変更することによるホーン長の調整範囲は、３０４ｍｍ〜２４５４ｍｍである。最低共振周波数の調整範囲は、６９Ｈｚ〜５５９Ｈｚである。
【００８６】
図６５Ａから図６５Ｅに示す第１から第５のバックロードホーン５５０ａ〜ｅの出口面積は、すべて音道管５５１の１本分であり、バックロードホーンの入口から出口まで同じ面積である。
【実施例５】
【００８７】
本発明の実施例５におけるマルチバックロードホーン型スピーカー装置６を図６６及び図６７に示す。図６８は、実施例５に使用される音道管６５１の斜視図である。音道管６５１の径方向における断面の形状は、正六角形である。音道管６５１の寸法は、外側が一辺２４ｍｍの正六角形、内側が一辺１７．１ｍｍの正六角形、厚み６ｍｍ、軸方向の長さ２４０ｍｍである。スピーカーユニット６１は、１０ｃｍフルレンジコーンスピーカーである。空気室Ｓ６３の容積は、１．３６リットルである。スピーカーユニット６１を除いた状態で、マルチバックロードホーン型スピーカー装置６の外形寸法は、幅５２３ｍｍ、奥行３３１ｍｍ、高さ３８４ｍｍである。
【００８８】
マルチバックロードホーン型スピーカー装置６は、スピーカーユニット６１と、バッフル板６２と、エンクロージャー６３と、仕切り板６４と、マルチバックロードホーン６５と、外枠６６と、裏板６７とで構成される。空気室Ｓ６３は、エンクロージャー６３に囲まれた内側の空間である。
【００８９】
６９は、実施例５におけるマルチバックロードホーン６５の分解図である。マルチバックロードホーン６５は、第１のバックロードホーン６５０ａと、第２のバックロードホーン６５０ｂと、第３のバックロードホーン６５０ｃと、第４のバックロードホーン６５０ｄと、第５のバックロードホーン６５０ｅとで構成されている。第１から第５のバックロードホーン６５０ａ〜ｅは、それぞれ２本、６本、１２本、２０本、３０本の音道管６５１で構成されている。音道管６５１の総数は、７０本である。
【００９０】
図７０は、実施例５におけるマルチバックロードホーン６５の斜視図であり、図７１は正面図である。図７２Ａから図７２Ｅは、第１から第５のバックロードホーン６５０ａ〜ｅの正面図である。図７３Ａから図７３Ｅは、第１から第５のバックロードホー６５０ａ〜ｅンを図７２Ａから図７２ＥのＶＡ〜ＶＥ方向から見た矢示図である。図７４Ａから図７４Ｅは、第１から第５のバックロードホーン６５０ａ〜ｅを図７３Ａから図７３ＥのＡ−Ａ線からＥ−Ｅ線で切断した断面の展開図である。
【００９１】
図７４Ａに示す第１のバックロードホーン６５０ａのホーン長は、音道管６５１の２本分である。音道管に設ける管壁開口部の位置を変更することによるホーン長の調整範囲は、１１０ｍｍ〜５０５ｍｍである。最低共振周波数の調整範囲は、３３７Ｈｚ〜１５４５Ｈｚである。
【００９２】
図７４Ｂに示す第２のバックロードホーン６５０ｂのホーン長は、音道管６５１の４本分である。音道管に設ける管壁開口部の位置を変更することによるホーン長の調整範囲は、１９３ｍｍ〜９８７ｍｍである。最低共振周波数の調整範囲は、１７２Ｈｚ〜８８１Ｈｚである。
【００９３】
図７４Ｃに示す第３のバックロードホーン６５０ｃのホーン長は、音道管６５１の６本分である。音道管に設ける管壁開口部の位置を変更することによるホーン長の調整範囲は、２７６ｍｍ〜１４７０ｍｍである。最低共振周波数の調整範囲は、１１６Ｈｚ〜６１６Ｈｚである。
【００９４】
図７４Ｄに示す第４のバックロードホーン６５０ｄのホーン長は、音道管６５１の８本分である。音道管に設ける管壁開口部の位置を変更することによるホーン長の調整範囲は、３５９ｍｍ〜１９５２ｍｍである。最低共振周波数の調整範囲は、８７Ｈｚ〜４７４Ｈｚである。
【００９５】
図７４Ｅに示す第５のバックロードホーン６５０ｅのホーン長は、音道管６５１の１０本分である。音道管に設ける管壁開口部の位置を変更することによるホーン長の調整範囲は、４４２ｍｍ〜２４３４ｍｍである。最低共振周波数の調整範囲は、７０Ｈｚ〜３８５Ｈｚである。
【００９６】
図７４Ａから図７４Ｅに示す第１から第５のバックロードホーン６５０ａ〜ｅの出口面積は、それぞれ、音道管６５１の１本分、２本分、３本分、４本分、５本分である。第１のバックロードホーン６５０ａ以外の第２から第５のバックロードホーンは、入口から出口に向かって段階的に面積を増加させている。
【実施例６】
【００９７】
本発明の実施例６におけるマルチバックロードホーン型スピーカー装置７を図７５及び図７６に示す。図７７は、実施例６に使用される音道管７５１の斜視図である。音道管７５１の径方向における断面の形状は、正六角形である。音道管７５１の寸法は、外側が一辺２４ｍｍの正六角形、内側が一辺１７．１ｍｍの正六角形、厚み６ｍｍ、軸方向の長さ２４０ｍｍである。スピーカーユニット７１は、１０ｃｍフルレンジコーンスピーカーである。空気室Ｓ７３の容積は、１．４０リットルである。スピーカーユニット７１を除いた状態で、マルチバックロードホーン型スピーカー装置７の外形寸法は、幅３１９ｍｍ、奥行３４０ｍｍ、高さ２７６ｍｍである。
【００９８】
マルチバックロードホーン型スピーカー装置７は、スピーカーユニット７１と、バッフル板７２と、エンクロージャー７３と、仕切り板７４と、マルチバックロードホーン７５と、外枠７６と、裏板７７とで構成される。空気室Ｓ７３は、エンクロージャー７３に囲まれた内側の空間である。
【００９９】
図７８は、実施例６におけるマルチバックロードホーン７５の分解図である。マルチバックロードホーン７５は、第１のバックロードホーン７５０ａと、第２のバックロードホーン７５０ｂと、第３のバックロードホーン７５０ｃと、第４のバックロードホーン７５０ｄと、第５のバックロードホーン７５０ｅとで構成されている。第１から第５のバックロードホーン７５０ａ〜ｅは、それぞれ３本、５本、７本、９本、１１本の音道管７５１で構成されている。音道管７５１の総数は、３５本である。
【０１００】
図７９は、実施例６におけるマルチバックロードホーン７５の斜視図であり、図８０は正面図である。図８１Ａから図８１Ｅは、第１から第５のバックロードホーン７５０ａ〜ｅの正面図である。図８２Ａから図８２Ｅは、第１から第５のバックロードホーン７５０ａ〜ｅを図８１Ａから図８１ＥのＶＡ〜ＶＥ方向から見た矢示図である。図８３Ａから図８３Ｅは、第１から第５のバックロードホーン７５０ａ〜ｅを図８２Ａから図８２ＥのＡ−Ａ線からＥ−Ｅで切断した断面図である。
【０１０１】
図８３Ａに示す第１のバックロードホーン７５０ａのホーン長は、音道管７５１の２本分である。音道管に設ける管壁開口部の位置を変更することによるホーン長の調整範囲は、１１０ｍｍ〜５０２ｍｍである。最低共振周波数の調整範囲は、３３９Ｈｚ〜１５４５Ｈｚである。
【０１０２】
図８３Ｂに示す第２のバックロードホーン７５０ｂのホーン長は、音道管７５１の４本分である。音道管に設ける管壁開口部の位置を変更することによるホーン長の調整範囲は、１９３ｍｍ〜９８７ｍｍである。最低共振周波数の調整範囲は、１７２Ｈｚ〜８８１Ｈｚである。
【０１０３】
図８３Ｃに示す第３のバックロードホーン７５０ｃのホーン長は、音道管７５１の６本分である。音道管に設ける管壁開口部の位置を変更することによるホーン長の調整範囲は、２７６ｍｍ〜１４８８ｍｍである。最低共振周波数の調整範囲は、１１４Ｈｚ〜６１６Ｈｚである。
【０１０４】
図８３Ｄに示す第４のバックロードホーン７５０ｄのホーン長は、音道管７５１の８本分である。音道管に設ける管壁開口部の位置を変更することによるホーン長の調整範囲は、３５９ｍｍ〜１８９８ｍｍである。最低共振周波数の調整範囲は、９０Ｈｚ〜４７４Ｈｚである。
【０１０５】
図８３Ｅに示す第５のバックロードホーン７５０ｅのホーン長は、音道管７５１の１０本分である。音道管に設ける管壁開口部の位置を変更することによるホーン長の調整範囲は、４４２ｍｍ〜２４０５ｍｍである。最低共振周波数の調整範囲は、７１Ｈｚ〜３８５Ｈｚである。
【０１０６】
図８３Ａから図８３Ｅに示す第１から第５のバックロードホーン７５０ａ〜ｅの出口面積は、すべて音道管７５１の２本分である。
【実施例７】
【０１０７】
本発明の実施例７におけるマルチバックロードホーン型スピーカー装置８を図８４及び図８５に示す。図８６は、実施例７に使用される音道管８５１の斜視図である。音道管８５１の径方向における断面の形状は、長方形である。音道管８５１の寸法は、外側が縦３０ｍｍと横４７ｍｍの長方形、内側が縦１８ｍｍと横３５ｍｍの長方形、厚み６ｍｍ、軸方向の長さ４００ｍｍである。スピーカーユニット８１は、８ｃｍフルレンジコーンスピーカーである。空気室Ｓ８３の容積は、０．７７リットルである。マルチバックロードホーン型スピーカー装置７の外形寸法は、幅９４ｍｍ、奥行３００ｍｍ、高さ３５０ｍｍである。
【０１０８】
マルチバックロードホーン型スピーカー装置８は、スピーカーユニット８１と、バッフル板８２と、エンクロージャー８３と、マルチバックロードホーン８５と、裏板８７とで構成される。空気室Ｓ８３は、エンクロージャー８３に囲まれた内側の空間である。
【０１０９】
図８７は、実施例７におけるマルチバックロードホーン８５の分解図である。マルチバックロードホーン８５は、第１のバックロードホーン８５０ａと、第２のバックロードホーン８５０ｂと、第３のバックロードホーン８５０ｃと、第４のバックロードホーン８５０ｄとで構成されている。第１から第４のバックロードホーン８５０ａ〜ｄは、それぞれ３分の１本、１本、３と３分の２本、９本の音道管８５１で構成されている。音道管８５１の総数は、１４本である。
【０１１０】
図８８は、実施例７におけるマルチバックロードホーン８５の斜視図であり、図８９及び図９０は正面図である。図９１Ａ及び図９１Ｂは、第１から第４のバックロードホーン８５０ａ〜ｄを図９０のＡ−Ａ線及びＢ−Ｂ線で切断した断面図である。
【０１１１】
図９１Ａに示す第１のバックロードホーン８５０ａのホーン長は、音道管８５１の３分の１本分であり、１００ｍｍである。最低共振周波数は、１７００Ｈｚである。図９１Ｂに示す第２のバックロードホーン８５０ｂのホーン長は、音道管８５１の１本分であり、２９９ｍｍである。最低共振周波数は、５６９Ｈｚである。図９１Ａに示す第３のバックロードホーン８５０ｃのホーン長は、音道管８５１の３と３分の２本分であり、１１００ｍｍである。最低共振周波数は、１５５Ｈｚである。図９１Ｂに示す第４のバックロードホーン８５０ｄのホーン長は、音道管８５１の９本分であり、２６８５ｍｍである。最低共振周波数は、６３Ｈｚである。なお、音道管に設ける管壁開口部の位置を変更すれば、ホーン長の調整が可能である。
【０１１２】
図９１Ａから図９１Ｂに示す第１から第４のバックロードホーン８５０ａ〜ｄの出口面積は、すべて音道管８５１の１本分である。
【０１１３】
実施例７におけるマルチバックロードホーン型スピーカー装置８は、マルチバックロードホーン８５とエンクロージャー８３とを分離可能な構成としてもよい。また、前記分離可能部には、音漏れを防止するために例えばゴムシート（図示せず）を備えてもよい。かかる構成とすることにより、異なる設計のマルチバックロードホーン８５へ変更できる。
【０１１４】
以上、図示例に基づき説明したが、この発明は上述の例に限定されない。請求項に記載された発明の範囲内において、種々の修正や変形を加えてもよい。例えば、マルチバックロードホーンは、３Ｄプリンター装置とか金型とか木型とかを用いて、一体成型されてもよい。
【符号の説明】
【０１１５】
１，２，３，４，５，６，７，８    マルチバックロードホーン型スピーカー装置
１１，２１，３１，４１，５１，６１，７１，８１    スピーカーユニット
１３，２３，３３，４３，５３，６３，７３，８３    エンクロージャー
１５，２５，３５，４５，５５，６５，７５，８５    マルチバックロードホーン
２２，３２，４２，５２，６２，７２，８２    バッフル板
２４，３４，４４，５４，６４，７４，１４０ｄ〜ｎ    仕切り板
２６，３６，４６，５６，６６，７６    外枠
２７，３７，４７，５７，６７，７７，８７    裏板
３８    出口拡大部
１３２ａ〜ｃ，１４２ｄ〜ｎ，２４２ａ〜ｆ，３４２ａ〜ｅ，４４２ａ〜ｅ，５４２ａ〜ｅ，６４２ａ〜ｅ，７４２ａ〜ｅ，８５２ａ〜ｄ    入口絞り部
１５０ａ〜ｎ，２５０ａ〜ｆ，３５０ａ〜ｅ，４５０ａ〜ｅ，５５０ａ〜ｅ，６５０ａ〜ｅ，７５０ａ〜ｅ，８５０ａ〜ｄ    バックロードホーン
１５１，１５１ａ〜ｎ，２５１，３５１，４５１，５５１，６５１，７５１，８５１，８５１a〜ｃ    音道管
１５２，１５２ａ〜ｉ    管壁開口部
１５３ｆ〜ｉ，８５３    隔壁板
１５４，１５４ａ〜ｎ，２５４ａ〜ｆ，３４４ａ〜ｅ，４５４ａ〜ｅ，５４４ａ〜ｅ，６４４ａ〜ｅ，７４４ａ〜ｅ，８３４，８５４ａ〜ｄ    出口開口部
２３１ａ〜ｆ    ガイドプレート
Ｓ１３，Ｓ２３，Ｓ３３，Ｓ４３，Ｓ５３，Ｓ６３，Ｓ７３，Ｓ８３    空気室
【図１】
2019092128.tif 000003
【図２】
2019092128.tif 000004
【図３】
2019092128.tif 000005
【図４】
2019092128.tif 000006
【図５】
2019092128.tif 000007
【図６】
2019092128.tif 000008
【図７】
2019092128.tif 000009
【図８】
2019092128.tif 000010
【図９】
2019092128.tif 000011
【図１０】
2019092128.tif 000012
【図１１Ａ】
2019092128.tif 000013
【図１１Ｂ】
2019092128.tif 000014
【図１２】
2019092128.tif 000015
【図１３】
2019092128.tif 000016
【図１４Ａ】
2019092128.tif 000017
【図１４Ｂ】
2019092128.tif 000018
【図１５】
2019092128.tif 000019
【図１６】
2019092128.tif 000020
【図１７Ａ】
2019092128.tif 000021
【図１７Ｂ】
2019092128.tif 000022
【図１８】
2019092128.tif 000023
【図１９】
2019092128.tif 000024
【図２０Ａ】
2019092128.tif 000025
【図２０Ｂ】
2019092128.tif 000026
【図２１】
2019092128.tif 000027
【図２２】
2019092128.tif 000028
【図２３】
2019092128.tif 000029
【図２４】
2019092128.tif 000030
【図２５】
2019092128.tif 000031
【図２６】
2019092128.tif 000032
【図２７】
2019092128.tif 000033
【図２８】
2019092128.tif 000034
【図２９】
2019092128.tif 000035
【図３０】
2019092128.tif 000036
【図３１】
2019092128.tif 000037
【図３２】
2019092128.tif 000038
【図３３】
2019092128.tif 000039
【図３４】
2019092128.tif 000040
【図３５】
2019092128.tif 000041
【図３６】
2019092128.tif 000042
【図３７】
2019092128.tif 000043
【図３８】
2019092128.tif 000044
【図３９】
2019092128.tif 000045
【図４０】
2019092128.tif 000046
【図４１】
2019092128.tif 000047
【図４２】
2019092128.tif 000048
【図４３Ａ】
2019092128.tif 000049
【図４３Ｂ】
2019092128.tif 000050
【図４３Ｃ】
2019092128.tif 000051
【図４３Ｄ】
2019092128.tif 000052
【図４３Ｅ】
2019092128.tif 000053
【図４３Ｆ】
2019092128.tif 000054
【図４４】
2019092128.tif 000055
【図４５】
2019092128.tif 000056
【図４６】
2019092128.tif 000057
【図４７】
2019092128.tif 000058
【図４８】
2019092128.tif 000059
【図４９】
2019092128.tif 000060
【図５０Ａ】
2019092128.tif 000061
【図５０Ｂ】
2019092128.tif 000062
【図５０Ｃ】
2019092128.tif 000063
【図５１Ａ】
2019092128.tif 000064
【図５１Ｂ】
2019092128.tif 000065
【図５１Ｃ】
2019092128.tif 000066
【図５１Ｄ】
2019092128.tif 000067
【図５１Ｅ】
2019092128.tif 000068
【図５２】
2019092128.tif 000069
【図５３】
2019092128.tif 000070
【図５４】
2019092128.tif 000071
【図５５】
2019092128.tif 000072
【図５６】
2019092128.tif 000073
【図５７】
2019092128.tif 000074
【図５８Ａ】
2019092128.tif 000075
【図５８Ｂ】
2019092128.tif 000076
【図５８Ｃ】
2019092128.tif 000077
【図５８Ｄ】
2019092128.tif 000078
【図５８Ｅ】
2019092128.tif 000079
【図５９】
2019092128.tif 000080
【図６０】
2019092128.tif 000081
【図６１】
2019092128.tif 000082
【図６２】
2019092128.tif 000083
【図６３】
2019092128.tif 000084
【図６４Ａ】
2019092128.tif 000085
【図６４Ｂ】
2019092128.tif 000086
【図６４Ｃ】
2019092128.tif 000087
【図６５Ａ】
2019092128.tif 000088
【図６５Ｂ】
2019092128.tif 000089
【図６５Ｃ】
2019092128.tif 000090
【図６５Ｄ】
2019092128.tif 000091
【図６５Ｅ】
2019092128.tif 000092
【図６６】
2019092128.tif 000093
【図６７】
2019092128.tif 000094
【図６８】
2019092128.tif 000095
【図６９】
2019092128.tif 000096
【図７０】
2019092128.tif 000097
【図７１】
2019092128.tif 000098
【図７２Ａ】
2019092128.tif 000099
【図７２Ｂ】
2019092128.tif 000100
【図７２Ｃ】
2019092128.tif 000101
【図７２Ｄ】
2019092128.tif 000102
【図７２Ｅ】
2019092128.tif 000103
【図７３Ａ】
2019092128.tif 000104
【図７３Ｂ】
2019092128.tif 000105
【図７３Ｃ】
2019092128.tif 000106
【図７３Ｄ】
2019092128.tif 000107
【図７３Ｅ】
2019092128.tif 000108
【図７４Ａ】
2019092128.tif 000109
【図７４Ｂ】
2019092128.tif 000110
【図７４Ｃ】
2019092128.tif 000111
【図７４Ｄ】
2019092128.tif 000112
【図７４Ｅ】
2019092128.tif 000113
【図７５】
2019092128.tif 000114
【図７６】
2019092128.tif 000115
【図７７】
2019092128.tif 000116
【図７８】
2019092128.tif 000117
【図７９】
2019092128.tif 000118
【図８０】
2019092128.tif 000119
【図８１Ａ】
2019092128.tif 000120
【図８１Ｂ】
2019092128.tif 000121
【図８１Ｃ】
2019092128.tif 000122
【図８１Ｄ】
2019092128.tif 000123
【図８１Ｅ】
2019092128.tif 000124
【図８２Ａ】
2019092128.tif 000125
【図８２Ｂ】
2019092128.tif 000126
【図８２Ｃ】
2019092128.tif 000127
【図８２Ｄ】
2019092128.tif 000128
【図８２Ｅ】
2019092128.tif 000129
【図８３Ａ】
2019092128.tif 000130
【図８３Ｂ】
2019092128.tif 000131
【図８３Ｃ】
2019092128.tif 000132
【図８３Ｄ】
2019092128.tif 000133
【図８３Ｅ】
2019092128.tif 000134
【図８４】
2019092128.tif 000135
【図８５】
2019092128.tif 000136
【図８６】
2019092128.tif 000137
【図８７】
2019092128.tif 000138
【図８８】
2019092128.tif 000139
【図８９】
2019092128.tif 000140
【図９０】
2019092128.tif 000141
【図９１Ａ】
2019092128.tif 000142
【図９１Ｂ】
2019092128.tif 000143
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
（削除）
【請求項２】
スピーカーユニットの背面側に空気室と、一端が前記空気室と連通し他端がスピーカー装置の外面に開口したバックロードホーンと、を備えるバックロードホーン型スピーカー装置であって、ホーン長が互いに異なる少なくとも３本のバックロードホーンを備えるマルチバックロードホーン型スピーカー装置において、前記空気室と前記バックロードホーンとの連通部に絞り部を備えることを特徴とする、マルチバックロードホーン型スピーカー装置。
【請求項３】
前記バックロードホーンは、複数本の音道管を直列接続および／または並列接続することによって形成され、互いに隣接する音道管の管壁に共通の開口部を備えることを特徴とする、請求項２に記載のマルチバックロードホーン型スピーカー装置。
【請求項４】
請求項２または３に記載のマルチバックロードホーン型スピーカー装置において、前記空気室にガイドプレートを備えることを特徴とする、マルチバックロードホーン型スピーカー装置。
【請求項５】
前記複数本の音道管は、径方向における断面の形状が同じ管によって形成されることを特徴とする、請求項３に記載のマルチバックロードホーン型スピーカー装置。
【手続補正２】
【補正対象書類名】明細書
【補正対象項目名】０１０７
【補正方法】変更
【補正の内容】
【０１０７】
本発明の実施例７におけるマルチバックロードホーン型スピーカー装置８を図８４及び図８５に示す。図８６は、実施例７に使用される音道管８５１の斜視図である。音道管８５１の径方向における断面の形状は、長方形である。音道管８５１の寸法は、外側が縦３０ｍｍと横４７ｍｍの長方形、内側が縦１８ｍｍと横３５ｍｍの長方形、厚み６ｍｍ、軸方向の長さ３００ｍｍである。スピーカーユニット８１は、８ｃｍフルレンジコーンスピーカーである。空気室Ｓ８３の容積は、０．７７リットルである。マルチバックロードホーン型スピーカー装置７の外形寸法は、幅９４ｍｍ、奥行３００ｍｍ、高さ３５０ｍｍである。